(57)【要約】【課題】広色域な画像投影が可能な画像投影装置及び画像投影方法を提供する。【解決手段】固体光源と放電ランプとからなる光源と、前記固体光源から出射される光と前記放電ランプから出射される光とを合成する光合成部と、前記光合成部から出射される光を情報に応じて変調する光変調部と、前記光変調部から出射される光を投影する投影光学部とを少なくとも有する画像投影装置において、前記固体光源は、それぞれ異なる波長を有する複数のレーザダイオードから構成され、この複数のレーザダイオードから出射される光を整形する集光レンズを備えるように構成する。【選択図】図１
2007206359.tif 000002
【特許請求の範囲】
【請求項１】
固体光源と放電ランプとからなる光源と、
前記固体光源から出射される光と前記放電ランプから出射される光とを合成する光合成部と、
前記光合成部から出射される光を情報に応じて変調する光変調部と、
前記光変調部から出射される光を投影する投影光学部と、を少なくとも有する画像投影装置であって、
前記固体光源は、それぞれ異なる波長を有する複数のレーザダイオードから構成され、この複数のレーザダイオードから出射される光を整形する集光レンズを備えていること
を特徴とする画像投影装置。
【請求項２】
前記複数のレーザダイオードは、赤色レーザダイオードと青色レーザダイオードとから構成されていること
を特徴とする請求項１に記載の画像投影装置。
【請求項３】
前記固体光源の出射光に対する前記光合成部における反射率を所定の範囲に設定したこと
を特徴とする請求項１に記載の画像投影装置。
【請求項４】
前記光合成部における反射率の範囲は、前記複数のレーザダイオードが有する波長を反射する範囲であること
を特徴とする請求項３に記載の画像投影装置。
【請求項５】
光源を、固体光源と、放電ランプとにより構成し、
前記固体光源から出射される光と前記放電ランプから出射される光とを光合成部で合成し、光変調部により変調して画像を投影する画像投影方法であって、
前記固体光源を、それぞれ異なる波長を有する複数のレーザダイオードから構成し、この複数のレーザダイオードから出射される光を整形する集光レンズを備えたこと
を特徴とする画像投影方法。
【発明の詳細な説明】
【技術分野】
【０００１】
本発明は、光源からの光を光変調部により変調してスクリーンなどに投影して画像を表示する画像投影装置及び画像投影方法に関する。
【背景技術】
【０００２】
液晶パネルやＤＭＤ（digital micromirror device）素子などの光変調素子を照明装置によって照明し、この空間光変調素子からの透過光、もしくは、反射光を投影レンズによってスクリーン上に投影するように構成された画像投影装置（光学式プロジェクタ）が知られている。この画像投影装置においては、光源からの光を赤、緑、青の波長帯域に分離して上述の光変調素子によってそれぞれ変調し、スクリーンに投射して重ね合わせることによって、カラーの画像表示を行っている。そしてこの画像投影装置に使われる光源としては、可視光領域で発光効率の高い超高圧水銀ランプが使われることが多く、これを用いることにより効率良く照明光を出射することができるようになされている。
【０００３】
超高圧水銀ランプのスペクトルは図８にその一例を示すように緑、青色波長帯域のスペクトルは非常にシャープであり、光強度も十分にある一方、赤色は相対的に光量が足りない状況にある。現状では、赤、緑及び青それぞれのカラーフィルタなどを用いて図９に示すように、それぞれＳ１、Ｓ２及びＳ３で示す個別のスペクトルの光を用いてカラー表示を行っているが、赤色光に合わせて他の色の光の光量を調整しているため、全体として十分高い輝度のカラー表示を行い難い。
【０００４】
一方で、近年このような画像投影装置を含むディスプレイ全般に、広色再現領域を持ち、鮮やかな色彩を表現可能なディスプレイシステムが注目されている。このような広色域ディスプレイを画像投影装置で実現する方法の一例として、例えば以下に示す方法が考えられる。
【０００５】
第１に、光源として超高圧水銀ランプ（ＵＨＰランプ）を用い、その赤色のスペクトルのうち波長の短い領域、例えば５８０ｎｍから６１０ｎｍ付近のブロードなスペクトルを利用せず、それ以上の長波長側の光で色を表現する方法があげられる。しかしこの方法では赤色の光量が減ってしまい、それと色バランスを取るために、緑色、青色波長帯域の光も抑圧する必要があるため、全体の明るさが減少するといったデメリットがある。また、逆に明るさを確保するために高出力のランプを使うことも想定されるが、その場合は光源の寿命が短くなってしまうというデメリットがある。
【０００６】
第２に、可視光領域でスペクトルがブロードなキセノンランプを用いることが考えられる。キセノンランプを用いれば、ＵＨＰランプ程明るさを抑圧せずに色域を広げることが可能だが、赤外光と紫外光の一部にも連続したスペクトルがあるため、光利用効率が低く、高い消費電力が必要となるといったデメリットがある。
【０００７】
これに対し、赤色波長帯域を有する高出力レーザを組み合わせて、いわば２つの光源（主光源と副光源）を用いる画像投影システムが提案されている（例えば特許文献１〜３参照。）。
【特許文献１】特開２００２−２９６６８０号公報
【特許文献２】特開２００４−２２６６１３号公報
【特許文献３】特開２００４−２６６８１３号公報
【発明の開示】
【発明が解決しようとする課題】
【０００８】
上記特許文献１〜３に記載の画像投影システムにおいては、光源が主光源と副光源から形成されており、主光源と副光源を単に合成（重畳）することにより、光の効率的な利用や色バランスの調整が図られている。
【０００９】
しかし、このような光源が用いられている画像投影システムにおいて、液晶パネルや光学部品等の部材が使用されている場合には、紫外光によってこれらの部材が劣化した結果、青色光を吸収してしまうという問題がある。このため、紫外線波長帯域の光を除去する必要があるが、紫外光と青色光とは連続したスペクトルを形成しているため、紫外線成分を除去する際に必要以上に青色成分が除去されてしまうおそれがある。
【００１０】
また、特に広色域化という観点に立った場合、上述した超高圧水銀ランプなどの主光源に対して単に副光源としてレーザ光の光を合成（重畳）する方法では、赤色成分を増加させることができたとしても、青色成分が少ないために色再現性を保つための緑成分も減衰させなければならなくなるため、全体としての輝度が落ちてしまうという問題が生じる。
【００１１】
以上の問題に鑑みて、本発明は、輝度を落とすことなく、広色域な画像投影が可能な画像投影装置及び画像投影方法を提供することを目的とする。
【課題を解決するための手段】
【００１２】
上記課題を解決するために、本発明は、固体光源と放電ランプとからなる光源と、前記固体光源から出射される光と前記放電ランプから出射される光とを合成する光合成部と、前記光合成部から出射される光を情報に応じて変調する光変調部と、前記光変調部から出射される光を投影する投影光学部と、を少なくとも有する画像投影装置であって、固体光源を、それぞれ異なる波長を有する複数のレーザダイオードで構成し、この複数のレーザダイオードから出射される光を整形する集光レンズを備えた構成とする。
また、本発明の画像投影装置においては、上述の構成において、複数のレーザダイオードが、赤色レーザダイオードと青色レーザダイオードとから構成されている。
【００１３】
更に、本発明の画像投影方法は、光源を、固体光源と、放電ランプとにより構成し、固体光源から出射される光と放電ランプから出射される光とを光合成部で合成し、光変調部により変調して画像を投影する画像投影方法であって、固体光源を、それぞれ異なる波長を有する複数のレーザダイオードから構成し、この複数のレーザダイオードから出射される光を整形する集光レンズを設けるようにしている。
【発明の効果】
【００１４】
以上説明したように、本発明の画像投影装置及び画像投影方法によれば、従来に比べて青色帯域において広色域化を図り、色表示性能において優れた画像投影装置、画像投影方法を提供することができる。
【発明を実施するための最良の形態】
【００１５】
以下、本発明を実施するための最良の形態の例を説明するが、本発明は以下の各例に限定されるものではない。
以下の例においては、本発明の画像投影装置及び画像投影方法を、液晶パネルを光変調部に用いた例について説明する。
【００１６】
図１に、本発明の画像投影装置５０の実施形態例の概略構成図を示す。
図１に示すように、この画像投影装置５０の光源５１は、赤色レーザダイオード１Ｒと青色レーザダイオード１Ｂより成る固体光源１と、超高圧水銀ランプ等の放電ランプ２より構成される例を示す。
【００１７】
放電ランプ２には、その反射光がほぼ平行光となる反射曲面を有するリフレクター３が設けられ、この例においては、放電ランプ２は第１のダイクロイックミラー５と対向して、固体光源１の出射光の光軸と例えば９０°をなす光軸上に配置される。
【００１８】
固体光源１の光出射側の光軸上には、光軸に対して垂直に配置された２枚のコリメートレンズ等の集光レンズ４ａ、４ｂが設けられており、固体光源部６１が構成されている。さらに、光軸に沿って、第３フライアイレンズ７ｃ、第１のダイクロイックミラー５、第２フライアイレンズ７ｂ、偏光ビームスプリッター８、コンデンサーレンズ９、ダイクロイックミラー１０、第２のダイクロイックミラー１２、レンズ１５、ミラー１３がこの順に配置される。
【００１９】
また、放電ランプ２の光軸上には、上記第１のダイクロイックミラー５を挟んで、第１フライアイレンズ７ａと第２フライアイレンズ７ｂが配置される。
【００２０】
すなわち、本例では、第１のダイクロイックミラー５を、放電ランプ２の出射側に配置する第１フライアイ７ａ及び第２フライアイ７ｂと、固体光源１の出射側に配置する第１フライアイ７ａとの間に配置する構成である。この場合、第１フライアイ７ａ、第２フライアイ７ｂとの距離をある程度保つ配置となるが、その分レーザダイオード等の固体光源１と放電ランプ２との間隔を十分とることができ、固体光源１及び放電ランプ２の特性を良好に保持することができる。
【００２１】
ダイクロイックミラー５は、固体光源１からの光束と、放電ランプ２からの光束を合成して同一経路とする光合成部５４として機能する。また、第１及び第２のダイクロイックミラー５及び１２は、後述するように、それぞれ赤色レーザダイオード１Ｒ及び放電ランプ２からの赤色帯域の光の光量と、青色レーザダイオード１Ｂからの青色帯域の光の光量を調整する調整部として機能する。
【００２２】
一方、ダイクロイックミラー１０の反射側にミラー１１が配置され、ミラー１１により例えば９０°光路を変換された光軸上にフィールドレンズ１７Ｂ及び液晶パネル１８Ｂが配置される。
【００２３】
第２のダイクロイックミラー１２の反射側にも同様にフィールドレンズ１７Ｇ及び液晶パネル１８Ｇ、またミラー１３の反射側にレンズ１６を介してミラー１４が配置され、このミラー１４により光路を例えば９０°変換された光軸上にフィールドレンズ１７Ｒ、液晶パネル１８Ｒが配置され、光変調部５２が構成される。各液晶パネル１８Ｒ、１８Ｇ及び１８Ｂの光出射側にクロスプリズム１９が配置され、その光出射側に投影レンズ２０等より成る投影光学部５３が配置される。
【００２４】
このように、本発明の画像投影装置５０においては、光源５１は固体光源である赤色レーザダイオード１Ｒと青色レーザダイオード１Ｂとを含み、この場合、第１の光源である固体光源１と、第２の光源である超高圧水銀ランプ等を利用した放電ランプ２の３つの光源より構成されている。
【００２５】
また、図１に示すように、固体光源部６１は、固体光源である赤色レーザダイオード１Ｒ及び青色レーザダイオード１Ｂと集光レンズ４ａ、４ｂとを一体化した構成とする。このように、光学的な位置精度の厳しい固体光源１と集光レンズ４とが予め一体に形成される構成とすることにより、画像投影装置５０の組み立て工程が簡易化される。更にこの固体光源部６１を交換可能な構成とすることによって、装置全体の寿命の長期化を図り、また交換作業の簡易化が図られる。
【００２６】
ここで、固体光源１の赤色レーザダイオード１Ｒとしては、例えば発振波長が６４３ｎｍ近傍、半値全幅が１．５ｎｍ程度のものを用いることができる。このような赤色レーザダイオードは、非常に単色性の高い光源である。また、固体光源１の青色レーザダイオード１Ｂとしては、例えば発振波長が４４０ｎｍ近傍、半値全幅が１．５ｎｍ程度のものを用いることができる。
【００２７】
本例では、固体光源１を構成する青色レーザダイオード１Ｂと赤色レーザダイオード１Ｒとの間の出射パワーの比率が、０．５〜２．０となるように、それぞれのレーザダイオードの出力が設定されている。また、青色レーザダイオード１Ｂ及び赤色レーザダイオード１Ｒのストライプ幅が、２０μｍ以上となるように設定されている。さらに、青色レーザダイオード１Ｂと赤色レーザダイオード１Ｒは、横モードがマルチモードで発振するように設定されている。
【００２８】
一方、第２の光源として用いる放電ランプ２としては、超高圧水銀ランプが利用可能であり、その出射光は前述の図８において示したように、青色、緑色波長帯域にはシャープなスペクトルを有するが、赤色波長帯域はブロードなスペクトルになっている。
【００２９】
図１に示す構成において、赤色レーザダイオード１Ｒ及び青色レーザダイオード１Ｂより成る固体光源１から出射された光束は、コリメートレンズ４ａ、４ｂによりほぼ平行光となり、ダイクロイックミラー５に入射し、ダイクロイックミラー５で大部分が反射する。
【００３０】
本例では、ダイクロイックミラー５の反射特性を、光束の波長が４５０ｎｍ以下の範囲と６２０ｎｍ以上の範囲で反射するようにし、４５０ｎｍ〜６２０ｎｍの範囲で透過するように構成している。また、超高圧水銀ランプ等の放電ランプ２から出射された光束は、リフレクター３によってほぼ平行光となり、ダイクロイックミラー５に入射する。放電ランプ２から出射された光束のうち大部分の光束はこのダイクロイックミラー５を透過し、他の光束はダイクロイックミラー５によって反射される。
【００３１】
すなわち、本実施形態例における画像投影装置５０では、赤色レーザダイオード１Ｒ、青色レーザダイオード１Ｂ，放電ランプ２から出射された光束が、ダイクロイックミラー５で合成され、図７に示すようなスペクトルを有する光束を得ることができる。すなわち、放電ランプ２から出射された赤光量ＳＲ１に赤色レーザダイオード１Ｒから出射された赤光量ＳＲ２が加えられたものが全体の赤色光量となり、放電ランプ２から出射された青色光量ＳＢ１に青色レーザダイオード１Ｂから出射された青色光量ＳＢ２が加えられたものが、全体の青色光量となる。この結果、全体としての光量が増えるので、明るく、色表示性能に優れた画像を投影することができる。また、青色帯域における光量を増やすことにより、紫外線除去の際に生じる青色成分の減少という問題も改善することができる。
【００３２】
ダイクロイックミラー５で反射した固体光源１からの光束、および、ダイクロイックミラー５で透過した放電ランプ２からの光束は、ダイクロイックミラー５により経路が同一となるように合成され、第２フライアイレンズ７ｂに入射する。なお、第１フライアイレンズ７ａ、第２フライアイレンズ７ｂ及び第３フライアイレンズ７ｃは、光源からの入射光に関し、光束の空間分布を均一化する作用を有する。第２フライアイレンズ７ｂを透過した光束は、偏光ビームスプリッター８に入射し、ここで偏光方向がある特定の方向にそろえられる。偏光ビームスプリッター８を透過した光束は、コンデンサーレンズ９によって集光されて、ダイクロイックミラー１０に入射する。
【００３３】
ダイクロイックミラー１０は、青色波長帯域の光束を反射し、例えば、５１０ｎｍ以上の波長を有する緑色、赤色波長帯域の光束を透過する。この透過光の出射側に配置する第２のダイクロイックミラー１２では、緑色波長帯域の光束を反射し、例えば５８０ｎｍ以上の波長を有する赤色波長帯域の光束を透過する。これらの作用によって、固体光源１及び放電ランプ２から出射された光束は、赤、緑及び青色の光に分割される。分割された光束はそれぞれミラー、レンズを介して光変調部５２のそれぞれの色を担当する透過型の光変調部、この例では液晶パネル１８Ｒ、１８Ｇ及び１８Ｂに入射される。すなわちこの場合、青色の光束はミラー１１に反射され、フィールドレンズ１３を介して青色光を変調する液晶パネル１８Ｂに入射される。緑色光は、フィールドレンズ１７Ｇを介して緑色光を変調する液晶パネル１８Ｇに入射される。赤色光は、レンズ１５、ミラー１３、レンズ１６を介してミラー１４に反射されて、フィールドレンズ１７Ｒを介して赤色光を変調する液晶パネル１８Ｒに入射される。
【００３４】
この透過型の液晶パネルより成る光変調部５２によって画像変調された赤色、緑色及び青色波長帯域それぞれの光束は、光を合成するクロスプリズム１９によって合成され、投影レンズ２０等より成る投影光学部５３で例えばスクリーン（図示せず）に投影される。
【００３５】
図２は、本実施形態例で使用する赤色レーザダイオード１Ｒ及び青色レーザダイオード１Ｂを構成する半導体レーザアレイ３０の概略構成図である。
図２に示すように、半導体レーザアレイ３０は、サブマウント３１の上に複数の半導体レーザチップ３２を並列に配置して構成されている。サブマウント３１としては、例えばＡｌＮ（窒化アルミニウム）や、ＳｉＣ（炭化シリコン）や、ＷＣｕ（銅タングステン）などを用いることが可能である。サブマウント３１には、各半導体レーザチップ３２に対応して発光点３３が形成され、半導体レーザアレイ３０では、図に示すような発光パターンが発生する。
【００３６】
図３は、本実施形態例で使用する固体光源１の概略構成図である。
図３に示すように、固体光源１は、台座２９と台座にマウントされた赤色レーザダイオード１Ｒである赤色半導体レーザアレイ３０Ｒ及び青色レーザダイオード１Ｂである青色半導体レーザアレイ３０Ｂとから構成される。台座２９は、直方体形の本体部２９１と、本体部の上部と下部に一体に設けられた一対の台座部２９２を有している。なお、半導体レーザアレイを台座２９にマウントする場合には、台座に直接マウントしてもよいし、例えばセラミックなどを介して間接的にマウントするようにしてもよい。また、アレイ化されていないものを用いる場合には、半導体レーザチップ３２を１個ずつマウントして、台座２９上でアレイ状となるように配置してもよい。
【００３７】
本体部２９１の下部に連接された台座部２９２には、赤色半導体レーザアレイ３０Ｒがマウントされている。また、本体部２９２の上部に連接された台座部２９２には、赤色半導体レーザアレイ３０Ｒと対向するように青色半導体レーザアレイ３０Ｂがマウントされている。そして、赤色半導体レーザアレイ３０Ｒと青色半導体レーザアレイ３０Ｂから出射された光束は、図に示すように、台座２９の前方に向かって進行する。
【００３８】
なお、本例では、光源の大きさと光の広がる割合を示す指標であるエタンデュ(etendue)は、放電ランプ２で１０ｍｍ２・ｓｒとなるように設定されている。放電ランプとレーザダイオードのような異なる光源を用いる場合、エタンデュを同じ大きさに設定しないと、それぞれの光源から出射される光を有効に用いることができず、例えば輝度が低下するというようなおそれがある。ここで、一般の半導体レーザ光の発散角が、１０°×３０°で偏光していることを考慮すると、使用すべき半導体レーザ光源の発光面積Ｓは、以下の式によって求めることができる。従って、本実施形態例で使用する赤色半導体レーザ１Ｒ及び青色半導体レーザ１Ｂの発光面積Ｓは、エタンデュを考慮して、Ｓ＝３６ｍｍ２の範囲内に収まるように設定されている。
【００３９】
【数１】
2007206359.tif 000003
【００４０】
図４は、本実施形態例で使用する固体光源１の概略構成図である。
図４に示すように、固体光源１は、所定の厚みを有するように形成された平板状の台座２９と、赤色半導体レーザアレイ３０Ｒ及び青色半導体レーザアレイ３０Ｂと、三角柱状のミラー３１とから構成されている。
【００４１】
台座２９上面の中央部付近には、赤色半導体レーザアレイ３０Ｒと青色半導体レーザアレイ３０Ｂとが、所定の距離をもって対向して配置されている。このとき、各半導体レーザアレイに形成された発光点２８が、互いに対向するようにしてマウントされる。また、ミラー３１は、赤色半導体レーザアレイ３０Ｒと青色半導体レーザアレイ３０Ｂとの中間に位置するように、台座２９上にマウントされている。そして、赤色半導体レーザアレイ３０Ｒと青色半導体レーザアレイ３０Ｂから出射された光束は、図に示すように、ミラー３１が有する平面に反射して、台座２９の上方に向って進行する。
【００４２】
図５は、本実施形態例で使用する固体光源１の概略構成図である。
図５に示すように、固体光源１は、矩形状の台座２９ａにマウントされた赤色半導体レーザアレイ３０Ｒと、別の矩形状の台座２９ｂにマウントされた青色半導体レーザアレイ３０Ｂと、さらに別の矩形状の台座２９ｃにマウントされた三角柱状のミラー３１とから構成されている。なお、半導体レーザアレイ３０Ｒ、３０Ｂは、矩形状の台座２９ａ，２９ｂの上面端部に沿うようにしてマウントされている。
【００４３】
台座２９ａと台座２９ｂは、所定の間隔を有するようにして配置されており、その間に台座２９ｃが配置されている。このとき、台座２９ｃと台座２９ａ及び台座２９ｂとの間に、所定の隙間が存在するように配置されている。また、台座の上面端部にマウントされた赤色半導体レーザアレイ３０Ｒと青色半導体レーザアレイ３０Ｂとが、互いに向き合うような配置がとられる。そして、赤色半導体レーザアレイ３０Ｒと青色半導体レーザアレイ３０Ｂから出射された光束は、図に示すように、ミラー３１が有する平面で反射して、台座２９の上方に向って進行する。
【００４４】
図６（ａ）は、本実施形態例で使用する固体光源１の概略構成図である。
図６（ａ）に示すように、固体光源１は、上面端部に赤色半導体レーザアレイ３０Ｒがマウントされた矩形状の台座２９ａと、上面端部に青色半導体レーザアレイ３０Ｂがマウントされた矩形状の台座２９ｂと、内部に反射・透過膜を備えた正方形状の合成プリズム３２とから構成されている。
【００４５】
所定の間隔を有するように台座２９ａと台座２９ｂが配置され、その間に合成プリズム３２が配置されている。このとき、合成プリズム３２と台座２９ａ及び台座２９ｂとの間に、所定の隙間が存在するように配置されている。また、台座の上面端部にマウントされた赤色半導体レーザアレイ３０Ｒと青色半導体レーザアレイ３０Ｂとが、互いに向き合うような配置がとられる。合成プリズム３２の内部には、青透過・赤反射膜３２ａと赤透過・青反射膜３２ｂとが内蔵されている。
【００４６】
図６（ｂ）は、図６（ａ）に示した固体光源１の平面図である。
図６（ｂ）に示すように、合成プリズム３２の内部には、青透過・赤反射膜３２ａと赤透過・青反射膜３２ｂとが対角線で交差するようにして配置されている。そして、赤色半導体レーザアレイ３０Ｒから出射された光束は、合成プリズム３２の青透過・赤反射膜３２ａで反射し、青色半導体レーザアレイ３０Ｂから出射された光束は、赤透過・青反射膜３２ｂで反射して、図に示すように、台座２９の前方に向って進行する。
【００４７】
以上述べたように、本発明の画像投影装置、画像投影方法によれば、光源として、赤色レーザダイオードと青色レーザダイオードからなる複数の固体光源と、超高圧水銀ランプ等の放電ランプとを用い、赤色帯域の光の光量及び青色帯域の光の光量を増やすことにより、広色域で性能の優れた画像投影装置を実現することができる。
【００４８】
なお、本発明の画像投影装置及び画像投影方法は、上述の各実施形態例に限定されるものではなく、光源の構成、また光源と各光学部品の配置構成等において種々の変更が可能であり、また光変調部としては、透過型及び反射型の液晶パネルに限定されるものではなく、ＤＭＤなどの反射型光変調素子など、種々の光変調部を利用することができる。
【図面の簡単な説明】
【００４９】
【図１】本発明の画像投影装置の一実施形態例の概略構成図である。
【図２】本発明の画像投影装置の一実施形態例に使用する半導体レーザアレイの概略構成図である。
【図３】本発明の画像投影装置の一実施形態例に使用する固体光源の概略構成図である。
【図４】本発明の画像投影装置の一実施形態例に使用する固体光源の概略構成図である。
【図５】本発明の画像投影装置の一実施形態例に使用する固体光源の概略構成図である。
【図６】（ａ）は、本発明の画像投影装置の一実施形態例に使用する固体光源の概略構成図であり、（ｂ）は、（ａ）の平面図である。
【図７】本発明の画像投影装置の光合成部から出射する光束のスペクトルを示す図である。
【図８】放電ランプの一例のスペクトルを示す図である。
【図９】放電ランプの一例のカラーフィルタ通過後のスペクトルを示す図である。
【符号の説明】
【００５０】
１・・固体光源、１Ｒ・・赤色半導体レーザ、１Ｂ・・青色半導体レーザ、２・・放電ランプ、３・・リフレクター、４ａ・・第１集光レンズ、４ｂ・・第２集光レンズ、５・・第１ダイクロイックミラー、７ａ・・第１フライアイレンズ、７ｂ・・第２フライアイレンズ、７ｃ・・第３フライアイレンズ、８・・偏光ビームスプリッター、９・・コンデンサーレンズ、１０・・ダイクロイックミラー、１１，１３，１４・・ミラー、１２・・第２ダイクロイックミラー、１５，１６・・レンズ、１７Ｒ，１７Ｇ，１７Ｂ・・フィールドレンズ、１８Ｒ，１８Ｇ、１８Ｂ・・液晶パネル、１９・・クロスプリズム、２０・・投影レンズ、２６・・サブマウント、２７・・半導体レーザチップ、２８・・発光点、２９・・台座、２９１・・本体部、２９２・・台座部、３０・・半導体レーザアレイ、３０Ｒ・・赤色半導体レーザアレイ、３０Ｂ・・青色半導体レーザアレイ、３１・・ミラー、５０・・画像投影装置、５２・・光変調部、５３・・投影光学部、５４・・光合成部、６１・・固体光源部
【図１】
2007206359.tif 000004
【図２】
2007206359.tif 000005
【図３】
2007206359.tif 000006
【図４】
2007206359.tif 000007
【図５】
2007206359.tif 000008
【図６】
2007206359.tif 000009
【図７】
2007206359.tif 000010
【図８】
2007206359.tif 000011
【図９】
2007206359.tif 000012